(57)【要約】【課題】  記録するための総パワーを、簡便に検出できる光ディスク装置、光ディスク装置の調整方法、プログラム、記録媒体を実現する。【解決手段】  ディスク１に対するレーザ２ｂの総パワーを可変するレーザドライバ１３を設ける。レーザ２ｂの総パワーを第一パワー値に制御して情報をディスク１に対し記録するための制御用マイコン９を設ける。記録された情報を含む信号を再生して、上記信号の品質を評価する評価部１７を設ける。前記信号の評価値が第一評価値以上のとき、第一パワー値から第二パワー値を算出により決定する決定部１８を設ける。【選択図】  図１
2005302210.tif 000002
【特許請求の範囲】
【請求項１】
レーザを光ディスクに対し照射することによって情報を記録し再生する光ディスク装置であって、
前記レーザの総パワーを可変するレーザパワー変更手段と、
前記レーザパワー変更手段により前記レーザの総パワーを第一パワー値に制御して情報の記録を行うレーザ制御手段と、
前記レーザ制御手段によって記録された情報を含む信号を再生して、上記信号の品質を評価する記録信号評価手段と、
前記信号の評価値が第一評価値以上のとき、第一パワー値から第二パワー値を算出により決定する決定手段とを有していることを特徴とする光ディスク装置。
【請求項２】
前記レーザ制御手段が決定する第一パワー値は、前記光ディスクに対する最適条件値よりも低くなるように制御されていることを特徴とする、請求項１記載の光ディスク装置。
【請求項３】
前記決定手段が決定する第二パワー値は、前記光ディスクに対する最適条件値よりも低くなるように制御されていることを特徴とする、請求項１または２に記載の光ディスク装置。
【請求項４】
前記記録信号評価手段による信号の評価値が第一評価値未満のとき、
前記レーザ制御手段は、上記評価値が第一評価値以上になるまで、前記レーザパワー変更手段による第一パワー値を変更して、評価を繰り返すようになっていることを特徴とする、請求項１ないし３の何れか１項に記載の光ディスク装置。
【請求項５】
前記記録信号評価手段による評価値が第一評価値以上のとき、
前記レーザ制御手段は、第二パワー値を所定の割合だけずらして前記光ディスクに対し信号を記録し、
前記記録信号評価手段は、上記信号を再生し評価して、再生した信号が前記第一評価値および前記最適条件値の間の第二評価値以上か否かを判別するものであることを特徴とする、請求項１ないし４の何れか１項に記載の光ディスク装置。
【請求項６】
前記レーザパワー変更手段は、レーザの出力値を変更して総パワーを可変するレーザ出力変更部を含むことを特徴とする、請求項１ないし５の何れか１項に記載の光ディスク装置。
【請求項７】
前記レーザパワー変更手段は、レーザのパルス幅を変更して総パワーを可変するレーザパルス変更部を含むことを特徴とする、請求項１ないし６の何れか１項に記載の光ディスク装置。
【請求項８】
前記レーザパワー変更手段は、レーザの出力値を変更して総パワーを可変するレーザ出力変更部と、レーザのパルス幅を変更して総パワーを可変するレーザパルス変更部とを含み、
前記レーザの出力値の変更によって信号の評価を所定回数の繰り返しても、前記記録信号評価手段による信号の評価値が第一評価値未満のとき、
前記レーザ制御手段は、レーザのパルス幅を変更するようになっていることを特徴とする、請求項１ないし５の何れか１項に記載の光ディスク装置。
【請求項９】
前記光ディスクの記録マークが複数種存在する場合は、前記レーザ制御手段は短マークから長マークの順で、前記レーザパワー変更手段を制御することを特徴とする、請求項１ないし８の何れか１項に記載の光ディスク装置。
【請求項１０】
前記記録信号評価手段による評価は、記録信号再生時のビットエラーとすることを特徴とする、請求項１ないし９の何れか１項に記載の光ディスク装置。
【請求項１１】
レーザを光ディスクに対し照射することによって情報を記録し再生して、記録条件を調整する光ディスク装置の調整方法であって、
前記レーザの総パワーを可変して、前記光ディスクに対する最適条件値よりも低い第一パワー値により情報を光ディスクに記録し、
前記記録された信号を再生して、上記信号の品質を評価し、
前記信号の評価値が第一評価値以上のとき、評価値および第一パワー値から、第一パワー値より大きく、かつ、前記光ディスクに対する最適条件値よりも低い第二パワー値を信号記録用として算出により決定することを特徴とする、光ディスク装置の調整方法。
【請求項１２】
請求項１１に記載の調整方法を、コンピュータにて実行可能にしたプログラム。
【請求項１３】
請求項１２に記載のプログラムを、コンピュータにより読み取り可能に記録した記録媒体。
【発明の詳細な説明】
【技術分野】
【０００１】
本発明は、相変化型などの光ディスクに対し、レーザビームを照射して情報を書き込む、またその反射光から、光ディスクに記録した情報を読み出す光ディスク装置に関し、特に信号記録用に光ディスクに対し照射するレーザパワーおよびレーザパルスの各条件の少なくとも一方を総パワーとして決定する手段を有する光ディスク装置、光ディスク装置の調整方法、上記調整方法をコンピュータにて実行可能に記載されたプログラムおよび上記プログラムをコンピュータにて読み取り可能に記録した記録媒体に関するものである。
【背景技術】
【０００２】
ＤＶＤ、ＣＤなど、光ディスクを記録媒体とした光ディスク装置において、情報をディスクに記録する場合には、装置−ディスク間における最適なレーザの総パワーを決定するためのテストライト（ＯＰＣ）を行う。総パワーは、レーザのパワー（出力値、つまり振幅幅）とレーザのパルスの幅とにより決まるものである。
【０００３】
このテストライトは通常、レーザパワーまたはレーザパルスを可変して記録を行い、その信号を再生することで品質を評価して、信号品質が最良となる条件を求める。信号品質評価方法には、ジッターレベル、エラーレート、アシンメトリなどが評価基準として用いられ、システムに応じて適した評価基準が選択される。
【０００４】
上記評価方法の一例として、特許文献１には、光磁気記録媒体のテスト記録再生領域にテストパターンを記録レーザパワー及び再生レーザパワーの少なくとも一方を変化させながらテスト記録再生し、テストパターンに基づく再生信号から求めた記録マーク数と、記録に用いた記録マーク数との差を求め、その差が所定数以下になるときの記録または再生レーザパワーの範囲内から記録または再生レーザパワーを設定することが開示されている。こうして設定されたレーザパワーは低エラーレートで情報を再生できる最適なレーザパワーである。
【０００５】
また、信号記録時のレーザパワーおよびレーザパルスは、例えば図２に示すような形状を示す。これはマルチパルスによって１つの記録マークを形成する方法である。レーザパワーを変更するには、パワー軸方向の制御を、またレーザパルスを変更するには時間軸方向の制御を行うことで、総パワーの変更を行う。総パワーは、レーザパワーおよびレーザパルスの双方によって決定される。すなわち、総パワーは、図２におけるレーザパルス波形の面積（ハッチングにて示した）に比例する。
【０００６】
レーザの総パワーと記録信号品質との関係は、図３に示すように、極小点を有し、すなわちあるパワー値（Ｐwo）で信号品質が最良となり、そのパワーからずれるに従って徐々に悪化する。テストライトはこの最良点（Ｐwo）を検出する目的で行われ、この検出がレーザの最適条件検出となる。
【特許文献１】特開２００３−２０８７４０号公報（公開日：２００３年７月２５日）
【発明の開示】
【発明が解決しようとする課題】
【０００７】
しかしながら、上記従来の構成では、レーザの最適条件は、ディスク、装置、温度など様々な要因によって変化するため、テストライト実施の度に変化する可能性がある。図３の信号品質最良点を求めるには、複数のパターンでの記録と再生を繰り返す必要がある。これは、レーザパワーおよびレーザパルスの組み合わせで、条件変更を実施して記録と再生を行うことを意味する。
【０００８】
信号品質最良点を求めるには、多くの条件で測定することによって検出精度を上げる方法と、比較的少ない測定データから最小自乗法等の数値演算によって行う方法等、様々存在する。測定数すなわちここではレーザパワーおよびレーザパルスの組み合わせを増やすほど精度は向上するが、一方で測定に要する処理時間は増大する。また、最小自乗法等の数値演算は、曲線においては複雑な演算となり演算処理時間が増加する一方、少ないデータ数では誤差も無視できない。
【０００９】
よって、従来では、記録信号品質を確保するために、処理時間が増加することにより、ディスク交換や電源投入等から実際に情報記録が可能となるまでの待時間が長くなるという問題を生じている。
【００１０】
また、最近の高密度の相変化型光ディスクにおいては、記録マーク別にレーザパワーやレーザパルスをそれぞれ調整することで記録信号品質の最良点が精度良く求まる場合もあるため、テストライトの処理がより複雑化して、やはり待時間の長期化という問題を生じる。
【００１１】
本発明は、上記問題を解決する、すなわちテストライトによるレーザの最適条件検出時間を短縮し、かつ記録信号品質を確保することができる光ディスク装置、光ディスク装置の調整方法、プログラム、記録媒体の提供を目的としている。
【課題を解決するための手段】
【００１２】
本発明に係る光ディスク装置は、上記課題を解決するために、レーザを光ディスクに対し照射することによって情報を記録し再生する光ディスク装置であって、前記レーザの総パワーを可変するレーザパワー変更手段と、前記レーザパワー変更手段により前記レーザの総パワーを第一パワー値に制御して情報の記録を行うレーザ制御手段と、前記レーザ制御手段によって記録された情報を含む信号を再生して、上記信号の品質を評価する記録信号評価手段と、前記信号の評価値が第一評価値以上のとき、第一パワー値から第二パワー値を算出により決定する決定手段とを有していることを特徴としている。
【００１３】
それゆえ、上記構成によれば、前記レーザ制御手段が、レーザパワー変更手段を制御して最適条件値と相違する第一パワー値を設定して情報を光ディスクに記録し、その情報を含む信号を記録信号評価手段により再生し評価し、続いて、決定手段によって上記信号の評価値が第一評価値以上のとき、第一パワー値から第二パワー値を総パワー（レーザパワーまたはレーザパルス）として算出により決定することで、前記光ディスクにおける記録信号品質が最良となる条件を検出せずとも、記録信号品質を保つことのできるレーザの総パワーを決定できる。
【００１４】
この結果、上記構成は、評価のために用いる第一パワー値を数多く設定しなくとも、記録信号品質を一定範囲内に保つことのできるレーザの総パワーを第二パワー値として算出により決定できるので、記録信号品質を所定範囲内にて確保できる総パワーの設定を簡便化できる。
【００１５】
上記光ディスク装置では、前記レーザ制御手段が決定する第一パワー値は、前記光ディスクに対する最適条件値よりも低くなるように制御されていることが好ましい。上記構成によれば、第一パワー値を、光ディスクに対する最適条件値よりも低くなるように制御することで、レーザの高い総パワーを光ディスクに照射することによる上記光ディスクの損傷を防止できる。
【００１６】
上記光ディスク装置においては、前記決定手段が決定する第二パワー値は、前記光ディスクに対する最適条件値よりも低くなるように制御されていることが望ましい。上記構成によれば、第二パワー値を、前記光ディスクに対する最適条件値よりも低くなるように制御することにより、通常の記録に用いる第二パワー値を、最適条件値よりも低く設定することで、光ディスクに対するレーザ照射に起因する損傷を抑制できて上記光ディスクの寿命を長くでき、かつ、記録信号品質を所定範囲内にて確保できる。
【００１７】
上記光ディスク装置では、前記記録信号評価手段による信号の評価値が第一評価値未満のとき、前記レーザ制御手段は、上記評価値が第一評価値以上になるまで、前記レーザパワー変更手段による第一パワー値を順次変更、例えば順次高くして、評価を繰り返すようになっていてもよい。
【００１８】
上記構成によれば、第一パワー値を順次、離散的に変更、例えば順次高くして、評価を繰り返すことで、評価値を第一評価値以上とすることが迅速にでき、よって、第二パワー値の算出を迅速化することが可能となる。
【００１９】
上記光ディスク装置においては、前記記録信号評価手段による評価値が第一評価値以上のとき、前記レーザ制御手段は、第一パワー値を所定の割合だけずらした第二パワー値により前記光ディスクに対し信号を記録し、前記記録信号評価手段は、上記信号を再生し評価して、再生した信号が前記第一評価値および前記最適条件値の間の第二評価値以上か否かを判別するものであってもよい。
【００２０】
上記構成によれば、第二パワー値を所定の割合だけずらした第三パワー値により、信号を記録し再生した上記信号の評価値が、第一評価値および前記最適条件値の間の第二評価値（レベル２）以上を満たす記録信号品質を確認することで、第二パワー値に対するマージン確保を行うことができる。なお、上記構成のように、マージン確保用の記録を行う場合は、前記レーザパワー変更手段により、レーザの出力値のみを制御すればよい。
【００２１】
上記光ディスク装置では、前記レーザパワー変更手段は、レーザの出力値を変更して総パワーを可変するレーザ出力変更部を含んでいてもよい。
【００２２】
上記光ディスク装置においては、前記レーザパワー変更手段は、レーザのパルス幅を変更して総パワーを可変するレーザパルス変更部を含んでいてもよい。
【００２３】
上記光ディスク装置では、前記レーザパワー変更手段は、レーザの出力値を変更して総パワーを可変するレーザ出力変更部と、レーザのパルス幅を変更して総パワーを可変するレーザパルス変更部とを含み、前記レーザの出力値の変更によって信号の評価を所定回数の繰り返しても、前記記録信号評価手段による信号の評価値が第一評価値未満のとき、前記レーザ制御手段は、レーザのパルス幅を変更するようになっていてもよい。
【００２４】
上記構成によれば、レーザの出力値を変更しても、信号の評価値が第一評価値未満となり、第二パワー値が得られない場合、レーザのパルス幅を変更して、信号の評価値を第一評価値以上にできることがあるので、第二パワー値をより確実に得ることが可能となる。
【００２５】
上記光ディスク装置においては、前記光ディスクの記録マークが複数種存在する場合は、前記レーザ制御手段は短マークから長マークの順で、前記レーザパワー変更手段を制御するようになっていてもよい。
【００２６】
上記光ディスク装置では、前記記録信号評価手段による評価は、記録信号再生時のビットエラーとしてもよい。
【００２７】
本発明に係る光ディスク装置の調整方法は、前記課題を解決するために、レーザを光ディスクに対し照射することによって情報を記録し再生して、記録条件を調整する光ディスク装置の調整方法であって、前記レーザの総パワーを可変して、前記光ディスクに対する最適条件値よりも低い第一パワー値により情報を光ディスクに記録し、前記記録された信号を再生して、上記信号の品質を評価し、前記信号の評価値が第一評価値以上のとき、第一パワー値から、第一パワー値より大きく、かつ、前記光ディスクに対する最適条件値よりも低い第二パワー値を信号記録用として算出により決定することを特徴としている。
【００２８】
上記方法によれば、例えば最適条件値と相違する第一パワー値を設定して情報を光ディスクに記録し、その情報を含む信号を再生し評価し、続いて、上記信号の評価値が第一評価値以上のとき、第一パワー値から第二パワー値を総パワーとして算出により決定することで、前記光ディスクにおける記録信号品質が最良となる条件を検出せずとも、記録信号品質を保つことのできるレーザの総パワーを第二パワー値として決定できる。
【００２９】
この結果、上記方法は、評価のために用いる第一パワー値を数多く設定しなくとも、記録信号品質を一定範囲内に保つことのできるレーザの総パワーを第二パワー値として算出により決定できるので、記録信号品質を所定範囲内にて確保できる総パワーの設定を簡便化できる。
【００３０】
本発明のプログラムは、上記調整方法を、コンピュータにて実行可能にしたことを特徴としている。本発明の記録媒体は、上記プログラムを、コンピュータにより読み取り可能に記録したことを特徴としている。
【発明の効果】
【００３１】
本発明の光ディスク装置、およびその調整方法によると、光ディスクに対する最適な総パワー（レーザパワーおよびレーザパルスの少なくとも一方）を決定するテストライトにおいて、最適条件と相違する第一パワー値を設定し、その第一パワー値による信号の評価値が第一評価値以上であれば、第一パワー値から第二パワーを総パワーとして算出により収束させることで、上記第二パワー値を、記録信号品質における一定範囲内での確保が可能な、所定範囲内である例えば低めに収束することで、記録信号品質を確保できると共に、上記一連の各パワー値の検出時間を短縮化することが可能となるという効果を奏する。
【発明を実施するための最良の形態】
【００３２】
本発明の光ディスク装置およびその調整方法に係る実施の形態について図１ないし図８に基づいて説明すると以下の通りである。
【００３３】
（実施の第一形態）
本発明に係る光ディスク装置は、図１に示すように、ディスク（光ディスク）１の記録面に対するトラッキングを行う光ピックアップ２を、ディスク１の径方向に往復移動するように有している。この光ピックアップ２からのレーザ光の照射によってディスク１へのデータ（情報）の記録、および、照射されたレーザ光のディスク１からの反射光により上記データの再生が行われる。
【００３４】
光ピックアップ２には、対物レンズ２ａおよびレーザ２ｂがそれぞれ含まれており、レーザ２ｂから出力された光は対物レンズ２ａで集光されディスク１上へ光ビームとして照射される。ディスク１からの反射光は、同じ対物レンズ２ａを通して入力され、光ピックアップ２に含まれる図示しない光検出器において電流信号に変換されて、ＲＦ処理回路５に出力される。
【００３５】
また、光ピックアップ２は、スレッドモータ４の回転駆動力を直線駆動力に変換する図示しない中間伝達手段によって、ディスク１の径方向への往復移動されるようになっている。そして、スレッドモータ４はモータドライバ１２からのスレッドモータ駆動信号によって駆動される。また、このスレッドモータ４内には、Ｎ極およびＳ極が交互に磁化されたリング状のマグネットと、ホール素子（図示しない）とが光ピックアップ２の径方向での位置を検出できるように設けられており、その検出結果がＤＳＰ（Digital Signal Processor）で構成されたデジタルサーボ処理回路８に送出される。
【００３６】
デジタルサーボ処理回路８では、この検出結果と後述するＲＦ処理回路５からの信号により処理された信号とに基づいて、各制御系を動作させるための制御信号が生成される。この制御信号がモータドライバ１２に送出されてスレッドモータ４に対する前記スレッダモータ駆動信号がモータドライバ１２において生成される。
【００３７】
光ピックアップ２で光検出されて電流信号として出力される信号は、ＲＦ処理回路５によって電圧信号に変換される。このＲＦ処理回路５に出力される信号のうち、データを有するＲＦ信号に対応する光検出信号は、位相が正反対の２つの信号からなる。よって、この光検出信号はＲＦ処理回路５に送出されると、この２つの信号を差動増幅した後、ＡＧＣ（Automatic Gain Control）処理が施されて信号処理回路７に送出される。
【００３８】
そして、信号処理回路７において、ＮＲＺＩ（Non-Return-to-Zero Invert）変換、ビタビ復号、デインターリーブ、エラー訂正などの処理を経て復号化され、インターフェース１１に送出されて外部へと出力される。このようにして、ディスク１内のデータの再生が行われる。
【００３９】
一方、記録時には、インターフェース１１を経て外部より入力された信号は、信号処理回路７においてパリティコード付加、インターリーブ、データ変調、ＮＲＺＩ変換等を行ってディスク１への記録データとなる。記録データは、ディスク１への記録タイミングを取りながら、レーザドライバ１３へ出力される。
【００４０】
記録データを受け取ったレーザドライバ１３は、記録データや用いるディスク１の特性に応じたレーザパワーにて記録データに基づくレーザパルスを発生するための記録信号を生成し出力する。よって、レーザドライバ１３は、レーザの総パワー（レーザパワーおよびレーザパルス）を可変するレーザパワー変更手段としても機能するものである。
【００４１】
この記録信号を受けたレーザ２ｂが、対応する上記レーザパワーおよびレーザパルスにより発光し、その光が対物レンズ２ａを通してディスク１の記録面上へと集光されることによってデータの記録が行われる。
【００４２】
デジタルサーボ処理回路８では、ＲＦ信号から得た同期信号が基本周波数信号となるマスタークロックに基づいてＰＬＬ（Phase Locked Loop）処理される。このようにＰＬＬ処理された信号に基づき、モータドライバ１２を介してスピンドルモータ３が回転制御される。このスピンドルモータ３は、ディスク１をその周方向に回転動作させるためのモータである。ディスク１を記録・再生するためのいわゆるトラッキング動作を行う際に、上記のようなＰＬＬ制御がスピンドルモータ３の回転制御に対して施される。
【００４３】
なお、ディスク１の回転起動時やトラックのロングサーチを行うときは、スピンドルモータ３自身の回転に関する信号と、本来あるべき回転速度と比較することで出力されるエラー信号とに基づいて制御を行う、ＦＧ（Frequency Generator）サーボによって制御される。このように与えられたＦＧ信号より、スピンドルモータ３の回転速度を検出し、光ピックアップ２の位置するゾーンのあるべき回転速度に対応するレーザビーム照射が、ディスク１へ行われる。
【００４４】
また、デジタルサーボ処理回路８では、ＲＦ処理回路５からディスク１に刻まれた案内溝（ウォブル）に対応する再生信号を受け取ってディスクアドレスを復調し、制御用マイコン（マイクロコンピュータ）９へ通知する。これにより、記録再生の場所の管理が行われる。さらに、このウォブルの再生信号からディスク１の回転数のＰＬＬ制御を行うことで、信号処理回路７から出力されるデータ記録のタイミングを合わせている。
【００４５】
一方、光ピックアップ２で光検出されたトラッキングエラー信号やフォーカスエラー信号といったエラー信号は、ＲＦ処理回路５で処理された後、Ａ／Ｄコンバータ６でデジタル信号に変換される。このデジタル信号は、デジタルサーボ処理回路８に送出される。そして、デジタルサーボ処理回路８で処理された信号が、モータドライバ１２を介してスレッドモータ４や光ピックアップ２内の図示しないアクチュエータを駆動して、フォーカス制御やトラッキング制御がなされる。
【００４６】
トラッキング制御を行うためのトラッキングサーボは、光ピックアップ２→ＲＦ処理回路５→Ａ／Ｄコンバータ６→デジタルサーボ処理回路８→モータドライバ１２→光ピックアップ２またはスレッドモータ４というメインループと、前述のホール素子（図示しない）→デジタルサーボ処理回路８→モータドライバ１２→光ピックアップ２またはスレッドモータ４というサブループとから構成される。
【００４７】
このような構成の光ディスク装置において、制御用マイコン９、信号処理回路７、デジタルサーボ処理回路８によって制御回路１０が構成される。
【００４８】
制御用マイコン９は、図示しないＲＯＭやハードディスクに内蔵されたプログラムに基づき、制御回路１０の中心となって光ディスク装置全体の制御管理を行う。また、制御用マイコン９は、レーザパワーおよびレーザパルスをそれぞれ制御するレーザ制御手段を形成している。よって、上記レーザ制御手段は、レーザパワーを制御するためのレーザパワー制御部１５、およびレーザパルスを制御するためのレーザパルス制御部１６を含んでいる。
【００４９】
その上、制御用マイコン９は、信号処理回路７やデジタルサーボ処理回路８と共に、記録された情報を含む信号を再生して、上記信号の品質を評価する記録信号評価手段としての評価部１７の機能も有する。さらに、制御用マイコン９は、前記信号の評価値が第一評価値以上のとき、第一パワー値から第二パワー値を算出により決定する決定部（決定手段）１８も含んでいる。
【００５０】
次に、上記光ディスク装置を用いた、テストライト（記録用の総パワーの調整方法）について詳細に説明する。ディスク１の記録面には、図４に示すように、ユーザーデータ領域１ａとは別の独立した場所に、テストライトに使用するテスト領域１ｂが予め設けられている。上記テスト領域１ｂは、通常、ディスク１の内周付近に設けられている。このテスト領域１ｂにおいて、エラー訂正可能な最小データである１クラスタの整数倍のデータを記録し再生することによって、信号品質が評価される。
【００５１】
上記テストライトは、下記の各手順で行われる。まず、ディスク１への記録を行う前に、テストライトで使用する１クラスタとその前後のクラスタおよびトラックを消去する。これは、直前に記録されていたデータが残っていた場合に、その記録条件の影響を受ける場合があることと、隣接するクラスタやトラックの状態によってもその影響を受ける場合があることによる。使用するクラスタに隣接する部分を消去することで、テストライトで使用するクラスタ周辺の領域はすべて結晶化で同じ状態となり、特定の場所からの影響を最小限にすることができる。
【００５２】
次に、最初に記録するレーザパワーおよびレーザパルスを決定する。ＤＶＤ±ＲＷやＤＶＤ−ＲＡＭ等のディスク１では、ディスク１の特性をあらわすパラメータ情報（最適条件値）が予め記録されている。従って、記録に先立ってこのパラメータ情報を読み取り、読み取った制御用マイコン９のレーザパワー制御部１５が、上記パラメータ情報に基づいて、レーザドライバ１３に対してレーザパワーおよびレーザパルスを設定（セット）する。このとき、レーザパワー制御部１５によって、レーザパワーは、ディスク１から読み取ったパラメータ情報の最適なレーザパワー値から、より小さい（低い）、例えば−２０％のパワーで設定される。レーザパルスは、そのデューティー比が例えば０．５にレーザパルス制御部１６によって設定される。
【００５３】
このレーザ条件で１クラスタ分の記録を行い、同じクラスタを再生して信号品質を確認する。信号品質評価にはシンボルエラーを使用する。シンボルエラーは、再生したクラスタ中に含まれるエラー検出バイト数である。ここではシンボルエラーを使用しているが、これはＳＡＭ、ジッター、アシンメトリなどであってもよい。
【００５４】
ＤＶＤ等の光ディスクにおけるエラー訂正能力は非常に高い。これは、トラック間隔やマーク長が短いため、ディスクにおける埃や傷等の影響を受けやすいのをカバーするためである。したがって、多くのデータエラーが発生しても十分訂正できる。図５に、本実施例の光ディスク装置において、１クラスタのデータ量を６４Ｋバイト（Ｂｙｔｅ）とした場合のビットエラーレートとエラー検出バイト数を示す。本実施の第一形態の光ディスク装置では、５Ｅ−４のビットエラーレートまでは完全にエラー訂正可能であり、これは約２６２バイトのエラーに相当する。
【００５５】
ディスク１から読み取ったディスクの特性を示すパラメータ情報を反映させた最適レーザパワーからの−２０％のレーザパワーである第一パワー値にて記録した信号品質は、最適レーザパワーのときに対応するエラーレートの極小値の領域とは相違する、図６におけるＡ付近になる。
【００５６】
評価部１７は、この信号品質が、完全にエラー訂正可能な所定レベル（レベル１＝５Ｅ−４）以下か否かを判断する。レベル１以下のエラーであれば、評価部１７からの評価結果に基づき、決定部１８は、上記第一パワー値に対し、上記の所定の係数Ｋを乗じた算出によりレーザパワーを、第二パワー値に変更して設定するようにレーザパワー制御部１５を制御する。これは、レベル１が図６における曲線でＡ付近である場合、エラーが最小となるレーザパワーは係数Ｋを乗じたＢ付近になることを利用している。すなわち、上記評価部１７および決定部１８での動作は、記録信号品質が最良となるポイントを予測することに等しいことになる。
【００５７】
続いて、係数Ｋを乗じたレーザパワーである第二パワー値での記録信号品質を確認する。この信号品質が、上記レベル１の１／２から１／１０までの間の所定レベル（レベル２＝１Ｅ−４）以下であれば、エラー最小値付近であるとしている。
【００５８】
その後、レベル２のレーザパワー検出が終了すると、記録パワーマージンの確認を行う。これは、レベル２のレーザパワーである第二パワー値から、第一パワー値を設定したときの低減率より小さい、例えば±１０％（Ｃ＋、Ｃ−付近）の変更を行って記録し、その信号品質が、上記レベル１とレベル２との間である所定レベル（レベル３＝２Ｅ−４）以下であるかどうかの判定を行う処理となる。この判定処理の結果がＯＫと判定されることによって、上記第二パワー値による、エラーレートの領域Ｂ付近がエラー最小値またはその近傍であることの確認とみなし、レベル２以下信号品質であると判断した際のレーザパワーである第二パワー値を、ディスク１と光ディスク装置との間における最適なレーザパワーと決定する。
【００５９】
ここではパワーマージンの確認におけるレーザパワーのシフト量を±１０％としているが、これは光ディスク装置の最大マージンをカバーするものでなければならない（フォーカスずれ（デフォーカス）、ディスクの面振れ（チルト）、回転誤差等）。従って、必ずしも±１０％とする必要はなく、システム構成に応じて増減してもよい。
【００６０】
−２０％のレーザパワーでレベル１の信号品質が得られなかった場合は、Ｎ％ずつ上げて再度同様な測定を行い、最適なレーザパワーとなるＢ付近を求める。このＮはシステムに応じて変更してもよいが、少なくともレベル１とレベル２の信号品質を確実に検出可能な数値にすることが好ましい。
【００６１】
本発明の調整方法では、レベル１〜３、パワー変更ステップ幅Ｎ、係数Ｋが適した値であれば、このように最適なレーザパワー値より低いパワー値である第一パワー値から徐々に上げていくことで、Ｂ付近のレーザパワーである第二パワー値の値はディスクのパラメータ情報から得たパワー値に比べて多少低いポイントとなる。これは、相変化型光ディスクの耐久性に貢献する。書き換えタイプの相変化型光ディスクは、書き換え回数に上限があり、高いレーザパワーで記録回数を重ねると、図７に示すように、寿命が短くなるという特性を持っている。本実施の形態の光ディスク装置では、図６に示すように、ディスクのパラメータ情報から得た、理想値の最適レーザパワー値に対し−５％となるＢ付近のレーザパワー値が得られた。
【００６２】
上述のレーザパワー制御は、全てレーザパワー制御部１５によって行っているが、レーザパルス制御部１６は、最初のデューティー比の設定だけで、Ｂ付近の好適なレーザパワー値を得るためには動作していない。レーザパルス制御部１６による制御は、上述のレーザパワー制御によって収束しない場合、つまり、レベル１〜３の全てを満たす信号品質が得られない場合に行えばよい。
【００６３】
レベル１〜３を満たす条件が検出できない場合は、レーザパルス制御部１６によってパルス幅調整を行う。例えば図８のようにレーザパルス幅を、例えばデューティー比０．５から＋１０％または−１０％とした後に、上述のレーザパワー変更によるレベル１〜３を満たすポイント、すなわちＢの存在を探す。検出できた場合は、好適なレーザパワーである第二パワー値の値が得られたものとみなす。
【００６４】
記録マーク別の調整が有効となる光ディスク装置、ディスク１においては、さらにマーク別のレーザパワーおよびレーザパルスの各調整を実施してもよい。一般に、レーザパルス数の少ない短マークほど信号品質に与える影響が大きいため、調整を行う際には最短となる記録マークから実施することにより、より細かなレーザパワー調整が可能となる。例えば、最短マークが２Ｔ、最長マークが８Ｔのようなケースでは、２Ｔ→３Ｔ→…→８Ｔの順で調整を実施すればよい。
【００６５】
本実施形態の光ディスク装置におけるテストライトを用いると、ディスク１の耐久性に効果のあるレーザパワー（総パワー）の決定だけでなく、テストライトに要する時間短縮が可能となる。仮に、図６におけるＢを検出する際に使用する係数Ｋを１．１９（１１．９％）、パワー変更ステップを１０％とすると、最短で「レベル１の記録再生（１回）」＋「レベル２の記録再生（１回）」＋「記録マージン確認（２回）」＝４回の測定で、ディスクのパラメータ情報からの最適パワー値の−５％が得られることになる。
【００６６】
なお、上記実施の形態では、レーザパワー分解能の方がレーザパルス分解能より高いため、レーザパワーの変更による第二パワー値の検出を試み、その検出が不可能であると判定されたときに、レーザパルスの変更に第二パワー値の検出を行う調整方法を好ましいものとして挙げたが、レーザパルス分解能の方がレーザパワー分解能より高い場合では、逆の、先に、レーザパルスの変更による第二パワー値の検出を試みる調整方法であってもよい。このとき、レーザパルスの変更による検出が不可能であると判定されたときに、レーザパワーの変更による第二パワー値の検出を行ってもよい。
【００６７】
また、上記実施の形態では、光ディスク装置を構成する各部材がハードウェアのみで実現されている場合を例にして説明したが、これに限るものではない。各部材の全部または一部を、上述した機能を実現するためのプログラムと、そのプログラムを実行するハードウェア（コンピュータ）との組み合わせで実現してもよい。
【００６８】
これらの場合は、上述した機能を実行可能なハードウェアが用意されていれば、当該ハードウェアに、上記プログラムを実行させるだけで、上記実施の形態に係る光ディスク装置を実現できる。
【００６９】
さらに、本発明の光ディスク装置の調整方法を、コンピュータにて実行可能に記載されたプログラムとしてもよい。その上、上記プログラムをコンピュータにて読み取り可能に記憶させた記録媒体としてもよい。上記記録媒体としては、ＣＤ−ＲＯＭ、ＤＶＤ、メモリースティック、メモリーカードや、携帯可能なハードディスク装置などが挙げられる。
【産業上の利用可能性】
【００７０】
本発明の光ディスク装置、およびその調整方法は、最適な総パワーに相当、またはその近傍となる第二パワー値を、従来と比べて、より簡便に設定できて、ＣＤやＤＶＤといった光ディスク装置に好適に利用でき、情報分野や通信分野といった用途に適用できる。
【図面の簡単な説明】
【００７１】
【図１】本発明の実施の形態である光ディスク装置の構成を示すブロック図である。
【図２】上記光ディスク装置における、記録時のレーザパワー、レーザパルスと生成されるマークの関係を示す波形図である。
【図３】従来の光ディスク装置のテストライトにおける測定結果を表すグラフである。
【図４】上記光ディスク装置における、光ディスク上のテストライトが行われる専用の場所であるＯＰＣ領域を示す、上記光ディスクの平面図である。
【図５】上記光ディスク装置の１クラスタにおける、ビットエラーとエラー発生バイト数の関係を示すグラフである。
【図６】本実施の形態におけるテストライト結果の一例を示すグラフである。
【図７】上記光ディスクにおいて、レーザパワーが高い場合の書き換え回数による信号品質悪化を示すグラフである。
【図８】本実施の形態における、レーザパルスを変更してテストライトを行う場合の波形図である。
【符号の説明】
【００７２】
１    ディスク
２    光ピックアップ
２ａ  対物レンズ
２ｂ  レーザ
３    スピンドルモータ
４    スレッドモータ
５    ＲＦ処理回路
６    ＡＤコンバータ
７    信号処理回路
８    デジタルサーボ処理回路
９    制御用マイコン（レーザパワー制御手段）
１０  制御回路
１１  インターフェース
１２  モータドライバ
１３  レーザドライバ（レーザパワー変更手段）
１５  レーザパワー制御部
１６  レーザパルス制御部
１７  評価部（記録信号評価手段）
１８  決定部（決定手段）
【図１】
2005302210.tif 000003
【図２】
2005302210.tif 000004
【図３】
2005302210.tif 000005
【図４】
2005302210.tif 000006
【図５】
2005302210.tif 000007
【図６】
2005302210.tif 000008
【図７】
2005302210.tif 000009
【図８】
2005302210.tif 000010